(57)【要約】【課題】高速走行時の動力伝達効率が良好で、しかも小型化の容易なハイブリッド駆動装置を提供する。【解決手段】内燃機関１が出力する動力によって駆動されて発電機能を備えた第１電動機２と、その第１電動機２から供給される電力によって動作して出力部材に動力を付与する第２電動機３とが同一軸線上に配置され、第１電動機２と第２電動機３との間に内燃機関１の出力した動力を第１電動機２と出力部材５側とに分配する動力分配機構４が配置され、内燃機関１の出力した動力を変速して動力分配機構４に伝達する変速機２０を備えているハイブリッド駆動装置において、変速機２は遊星歯車機構を含み、その少なくとも一部が動力分配機構４と共に各電動機２，３の間に配置されており、かつ、変速機２は低速側の変速比を設定する状態と高速側の変速比を設定する状態とに切り替える一つの切替機構２１を備えている。【選択図】図１
2011255889.tif 000002
【特許請求の範囲】
【請求項１】
内燃機関が出力する動力によって駆動されて発電する機能を備えた第１電動機と、その第１電動機から供給される電力によって動作して出力部材に動力を付与する第２電動機とが同一軸線上に配置されるとともに、これら第１電動機と第２電動機との間に、前記内燃機関の出力した動力を前記第１電動機と前記出力部材側とに分配する動力分配機構が配置され、さらに前記内燃機関の出力した動力を変速して前記動力分配機構に伝達する変速機を備えているハイブリッド駆動装置において、
前記変速機の少なくとも一部が、前記動力分配機構と共に、前記各電動機の間に配置されていることを特徴とするハイブリッド駆動装置。
【請求項２】
前記変速機は、遊星歯車機構を含み、前記各電動機の間に配置される前記変速機の一部は、前記遊星歯車機構であることを特徴とする請求項１に記載のハイブリッド駆動装置。
【請求項３】
前記遊星歯車機構は、前記第１電動機が連結された第１サンギヤと、前記出力部材が連結された第１リングギヤと、これら第１サンギヤと第１リングギヤとに噛み合っているピニオンギヤを保持している第１キャリヤとを回転要素として差動作用を行うシングルピニオン型遊星歯車機構によって構成され、
前記変速機は、固定された第２サンギヤと、該第２サンギヤと同心円上に配置された第２リングギヤと、前記第２サンギヤに噛み合っているピニオンギヤおよび該ピニオンギヤと前記第２リングギヤとに噛み合っている他のピニオンギヤを保持しかつ前記第１キャリヤに連結されている第２キャリヤとを回転要素として差動作用を行うダブルピニオン型遊星歯車機構を含み、かつ前記内燃機関を前記第２キャリヤと前記第２リングギヤとに選択的に連結する切替機構を更に含み、
前記切替機構が前記各電動機の間に配置されている
ことを特徴とする請求項２に記載のハイブリッド駆動装置。
【請求項４】
前記変速機は、低速側の変速比を設定する状態と高速側の変速比を設定する状態とに切り替える一つの切替機構を備えていることを特徴とする請求項２に記載のハイブリッド駆動装置。
【請求項５】
前記遊星歯車機構は、前記第１電動機が連結された第１サンギヤと、前記出力部材が連結された第１リングギヤと、これら第１サンギヤと第１リングギヤとに噛み合っているピニオンギヤを保持している第１キャリヤとを回転要素として差動作用を行うシングルピニオン型遊星歯車機構によって構成され、
前記変速機は、第３サンギヤと、該第３サンギヤと同心円上に配置されかつ前記内燃機関に連結された第３リングギヤと、前記第２サンギヤに噛み合っているピニオンギヤおよび該ピニオンギヤと前記第２リングギヤとに噛み合っている他のピニオンギヤを保持しかつ前記第１キャリヤに連結されている第３キャリヤとを回転要素として差動作用を行うダブルピニオン型遊星歯車機構を含み、
前記切替機構は、前記内燃機関と前記第１電動機との間に配置され、かつ前記第３サンギヤを前記第３リングギヤと所定の固定部とに選択的に連結するドグクラッチ機構によって構成されている
ことを特徴とする請求項４に記載のハイブリッド駆動装置。
【発明の詳細な説明】
【技術分野】
【０００１】
この発明は、車両の走行のための動力源として複数種類の動力装置を備えているハイブリッド駆動装置に関し、特に内燃機関が出力した動力を変速して動力分配機構に伝達するとともに第１の電動機と出力要素とに分配し、その動力分配機構から出力部材に伝達される動力に、第２の電動機の動力を付加するように構成されたハイブリッド駆動装置に関するものである。
【背景技術】
【０００２】
車両用のハイブリッド駆動装置は、内燃機関と電動機もしくは発電機（以下、これらを合わせて電動発電機と記す）とを組み合わせ、これらを動力源とした駆動装置であるが、従来、電動発電機を単に駆動力の発生装置とせずに、内燃機関の回転数もしくは運転点の制御に使用することも行われている。その場合、内燃機関の回転数の制御に伴って電力が発生するので、これを他の電動発電機に供給し、これをモータとして動作させることにより、駆動力を発生させるようにしている。
【０００３】
その一例が特許文献１に記載されている。その基本的な構成を簡単に説明すると、特許文献１に記載されたハイブリッド駆動装置は、エンジンが出力した動力をそのまま出力する直結段と増速して出力する高速段とに切り換えられる遊星歯車機構からなる変速機構、およびその変速機構から出力された動力を第１電動機と出力側の部材とに分配する遊星歯車機構を主体とする動力分配機構を備えている。その変速機構は、第１電動機よりもエンジン側に配置され、また動力分配機構は第１電動機を挟んで変速機構とは反対側に配置されている。また一方、その動力分配機構と出力軸との間に、モータとして機能する第２電動機が設けられている。そして、その第１電動機で発電した電力が第２電動機に供給されてその出力が出力軸に付加されるように構成されている。したがって、特許文献１に記載されたハイブリッド駆動装置では、高速走行時に変速機構を高速段に設定することにより、エンジンの回転数を相対的に低下させることができ、それに伴って高速走行時の動力損失を低減できる、とされている。
【０００４】
なお、主としてエンジンの回転数制御に使用される第１電動機と、主としていわゆるトルクアシストに使用される第２電動機と、その第２電動機の出力した動力を変速する変速機とを備えたハイブリッド駆動装置が、特許文献２あるいは３に記載されている。そして、これらの特許文献２，３に記載されたハイブリッド駆動装置は、動力分配機構と上記の変速機とを各電動機の間に配置した構成となっている。
【先行技術文献】
【特許文献】
【０００５】
【特許文献１】特開２０００−３４６１８７号公報
【特許文献２】国際公開第２００５／０００６１８号パンフレット
【特許文献３】国際公開第２００５／０００６１９号パンフレット
【発明の概要】
【発明が解決しようとする課題】
【０００６】
上述した特許文献１に記載されたハイブリッド駆動装置は、エンジンの回転中心軸線の延長線上に出力軸が延びている構造であり、したがってエンジンと共にを車両の前後方向に向けて搭載するように構成されている。しかしながら、第１電動機は必要トルクが大きいことにより外径の大きいものが使用されるが、この第１電動機とエンジンとの間に変速機構や変速比を設定するためのブレーキおよびクラッチが配置されているので、第１電動機が車室に、より接近して配置されることになる。これに対して、車室を形成しているフロアーに繋がるパネルは、車両の後方に向けて低くなっているので、車室側での設置スペースが狭くなっている。
【０００７】
このように従来の構造では、車両における許容スペースとハイブリッド駆動装置の外形とが適合しておらず、一部で相反する構造になっているので、車載性が必ずしも良好でなく、改善の余地があった。なお、特許文献２あるいは３に記載されている装置は、動力分配機構に対する入力を変速する機構を備えていない。
【０００８】
この発明は上記の技術的課題に着目してなされたものであり、動力分配機構に対する入力を変速でき、しかも車載性に優れたハイブリッド駆動装置を提供することを目的とするものである。
【課題を解決するための手段】
【０００９】
上記の目標を達成するために、請求項１の発明は、内燃機関が出力する動力によって駆動されて発電する機能を備えた第１電動機と、その第１電動機から供給される電力によって動作して出力部材に動力を付与する第２電動機とが同一軸線上に配置されるとともに、これら第１電動機と第２電動機との間に、前記内燃機関の出力した動力を前記第１電動機と前記出力部材側とに分配する動力分配機構が配置され、さらに前記内燃機関の出力した動力を変速して前記動力分配機構に伝達する変速機を備えているハイブリッド駆動装置において、前記変速機の少なくとも一部が、前記動力分配機構と共に、前記各電動機の間に配置されていることを特徴とするものである。
【００１０】
請求項２の発明は、請求項１の発明において、前記変速機は、遊星歯車機構を含み、前記各電動機の間に配置される前記変速機の一部は、前記遊星歯車機構であることを特徴とするハイブリッド駆動装置である。
【００１１】
請求項３の発明は、請求項２の発明において、前記遊星歯車機構は、前記第１電動機が連結された第１サンギヤと、前記出力部材が連結された第１リングギヤと、これら第１サンギヤと第１リングギヤとに噛み合っているピニオンギヤを保持している第１キャリヤとを回転要素として差動作用を行うシングルピニオン型遊星歯車機構によって構成され、前記変速機は、固定された第２サンギヤと、該第２サンギヤと同心円上に配置された第２リングギヤと、前記第２サンギヤに噛み合っているピニオンギヤおよび該ピニオンギヤと前記第２リングギヤとに噛み合っている他のピニオンギヤを保持しかつ前記第１キャリヤに連結されている第２キャリヤとを回転要素として差動作用を行うダブルピニオン型遊星歯車機構を含み、かつ前記内燃機関を前記第２キャリヤと前記第２リングギヤとに選択的に連結する切替機構を更に含み、前記切替機構が前記各電動機の間に配置されていることを特徴とするハイブリッド駆動装置である。
【００１２】
請求項４の発明は、請求項２の発明において、前記変速機は、低速側の変速比を設定する状態と高速側の変速比を設定する状態とに切り替える一つの切替機構を備えていることを特徴とするハイブリッド駆動装置である。
【００１３】
請求項５の発明は、請求項４の発明において、前記遊星歯車機構は、前記第１電動機が連結された第１サンギヤと、前記出力部材が連結された第１リングギヤと、これら第１サンギヤと第１リングギヤとに噛み合っているピニオンギヤを保持している第１キャリヤとを回転要素として差動作用を行うシングルピニオン型遊星歯車機構によって構成され、前記変速機は、第３サンギヤと、該第３サンギヤと同心円上に配置されかつ前記内燃機関に連結された第３リングギヤと、前記第２サンギヤに噛み合っているピニオンギヤおよび該ピニオンギヤと前記第２リングギヤとに噛み合っている他のピニオンギヤを保持しかつ前記第１キャリヤに連結されている第３キャリヤとを回転要素として差動作用を行うダブルピニオン型遊星歯車機構を含み、前記切替機構は、前記内燃機関と前記第１電動機との間に配置され、かつ前記第３サンギヤを前記第３リングギヤと所定の固定部とに選択的に連結するドグクラッチ機構によって構成されていることを特徴とするハイブリッド駆動装置である。
【発明の効果】
【００１４】
この発明によれば、外径が大きい第１電動機が、内燃機関の出力した動力を変速する変速機の少なくとも一部や動力分配機構よりも内燃機関側に配置される。そのため、スペースに余裕のある箇所に外径の大きい部分を配置することになるので、車両に対する搭載性が向上する。また、変速機の変速比を変更する機構として一つの切替機構を設けた構成とすれば、構成部品が少なくなり、この点でも装置の全体としての構成を小型化して車両搭載性を向上させることができる。
【図面の簡単な説明】
【００１５】
【図１】この発明に係るハイブリッド駆動装置の一例を模式的に示すスケルトン図である。
【図２】低速時の動作状態を説明するための入力側変速機および動力分配機構についての共線図である。
【図３】高速走行時の動作状態を説明するための入力側変速機および動力分配機構についての共線図である。
【図４】この発明に係るハイブリッド駆動装置の他の例を模式的に示すスケルトン図である。
【図５】この直結段とＯＤ段とを設定するための各クラッチの係合・解放の状態をまとめて示す図表である。
【発明を実施するための形態】
【００１６】
つぎにこの発明を具体例に基づいて説明する。図１はこの発明の一具体例を示す図であって、ここに示す具体例では、原動機（エンジン：ＥＮＧ）１と、発電機あるいは電動機として二つのモータ・ジェネレータ（ＭＧ１、ＭＧ２）２，３とが動力装置として設けられ、これら三者が同一軸線上に配列されている。その原動機１は、要は内燃機関であって、ガソリンエンジンやディーゼルエンジン、あるいは天然ガスエンジンなどの燃料を燃焼して動力を出力する動力装置である。好ましくはスロットル開度などの負荷を電気的に制御でき、また所定の負荷に対して回転数を制御することにより燃費が最も良好な最適運転点に設定できる内燃機関である。以下の説明では、原動機１をエンジン１と記す。
【００１７】
このエンジン１が入力側変速機２０に連結されている。なお、エンジン１と入力側変速機２０との間に、発進用のクラッチやトルクコンバータ（ロックアップクラッチ付のトルクコンバータ）などの動力伝達機構を適宜に設けてもよいことは勿論である。この入力側変速機２０は、エンジン１の出力した動力を変速するためのものであって、少なくとも高低の二段に変速できるように構成されている。より具体的には、遊星歯車機構を主体として構成されており、図１にはダブルピニオン型遊星歯車機構を主体にして構成した例を示してある。すなわち、その入力側変速機２０は、外歯歯車であるサンギヤＳ20と、そのサンギヤＳ20に対して同心円上に配置された内歯歯車であるリングギヤＲ20と、サンギヤＳ20に噛み合っているピニオンギヤおよびこのピニオンギヤとリングギヤＲ20とに噛み合っている他のピニオンギヤを自転自在かつ公転自在に保持しているキャリヤＣ20とを回転要素として差動作用を行うように構成されている。そして、この入力側変速機２０は、第１モータ・ジェネレータ２を挟んでエンジン１とは反対側に配置されている。
【００１８】
この入力側変速機２０における変速比を変更するため、すなわち変速を実行するための切替機構２１が設けられている。この切替機構２１は、入力側変速機２０における所定の回転要素に対して連結される相手部材を変更して入力側変速機２０における動力の伝達経路を切り替えることにより変速を実行するように構成されている。図１に示す例では、サンギヤＳ20をリングギヤＲ20と固定部とに切り替えて連結するように構成されている。
【００１９】
具体的には、切替機構２１は、ドグクラッチ機構などの歯の噛み合いにより係合状態となってトルクを伝達するように構成されており、前記サンギヤＳ20に中空軸などの中間部材を介して一体化されているハブ２２を備え、このハブ２２にスリーブ２３がスプライン嵌合している。なお、このハブ２２およびスリーブ２３は、第１モータ・ジェネレータ２よりエンジン１側に配置されている。そのハブ２２を挟んだ両側に、可動ハブ２４と固定ハブ２５とが配置されている。この可動ハブ２４はリングギヤＲ20に一体化されている。すなわち、可動ハブ２４は、エンジン１とリングギヤＲ20とを連結している中間軸２７に取り付けられている。また固定ハブ２５はケーシングなどの固定部２６に一体化されて固定されている。そして、これらの可動ハブ２４と固定ハブ２５との外周面にスプラインが形成されていて、前記スリーブ２３が選択的に係合するように構成されている。
【００２０】
上記のスリーブ２３の設定位置が、可動ハブ２４と固定ハブ２５とのいずれにも係合しない中立位置（ニュートラル位置）と、可動ハブ２４に係合して前記サンギヤＳ20とキャリヤＣ20とを連結する直結位置と、これとは反対側で固定ハブ２５に係合してサンギヤＳ20を固定する増速位置（ＯＤ位置）の三位置となるように構成されている。上記のスリーブ２３をこれらの位置に移動させるための機構は、手動で操作するように構成することができるが、好ましくは油圧アクチュエータや電動アクチュエータなどの適宜のアクチュエータ（図示せず）によって動作させるように構成する。
【００２１】
上記の入力側変速機２０におけるリングギヤＲ20には中間軸２７を介してエンジン１が連結され、したがってリングギヤＲ20が入力要素になっている。また、キャリヤＣ20が出力要素となっており、入力側変速機２０に入力された動力がキャリヤＣ20から出力されるようになっている。したがって、前記スリーブ２３を可動ハブ２４側に移動させてこれに係合させることにより、サンギヤＳ20とリングギヤＲ20とが連結されるので、入力側変速機２０を構成している遊星歯車機構の全体が一体化される。そのため、このいわゆる直結状態では、エンジン１から入力されたトルクがそのままキャリヤＣ20から出力される。これに対して、スリーブ２３を固定ハブ２５側に移動させてこれに係合させると、サンギヤＳ20が固定される。この状態では出力要素であるキャリヤＣ20が入力要素であるリングギヤＲ20より高速回転し、いわゆるオーバードライブ状態となる。
【００２２】
上記の入力側変速機２０と第１モータ・ジェネレータ２との間に動力分配機構４が配置されている。この動力分配機構４は、入力側変速機２０から入力された動力を第１モータ・ジェネレータ２と出力側とに分配するための機構であって、三つの回転要素で差動作用をなす遊星歯車機構によって構成されている。具体的には、動力分配機構４は、シングルピニオン型遊星歯車機構やダブルピニオン型遊星歯車機構を用いて構成することができ、図１に示す例では、キャリヤＣ4を入力要素、サンギヤＳ4を反力要素、リングギヤＲ4を出力要素としたシングルピニオン型遊星歯車機構によって構成されている。すなわち、外歯歯車であるサンギヤＳ4の外周側に、内歯歯車であるリングギヤＲ4がサンギヤＳ4に対して同心円上に配置され、これらのサンギヤＳ4とリングギヤＲ4とに噛み合っているピニオンギヤがキャリヤＣ4によって自転自在および公転自在に保持されている。そして、そのキャリヤＣ4に入力側変速機２０における出力要素であるキャリヤＣ20が連結されている。
【００２３】
第１モータ・ジェネレータ２はこの発明における第１電動機に相当し、前記動力分配機構４のサンギヤＳ4に連結されている。この第１モータ・ジェネレータ２は、一例として、ロータに永久磁石を備えた同期電動機によって構成され、発電機および電動機として機能するように構成されている。そして、そのロータがサンギヤＳ4に連結され、ステータがケーシング（図示せず）などに固定されている。したがって、この発明の第１電動機は、電動機であってよく、あるいは発電機であってもよく、さらには両方の機能を備えたものであってもよい。
【００２４】
さらに、リングギヤＲ4が、この発明の出力部材に相当する出力軸５に連結されている。この出力軸５は、エンジン１の回転中心軸線上に配置されており、エンジン１とこの出力軸５との間には、エンジン１側から、切替機構２１、第１モータ・ジェネレータ２、動力分配機構４、入力側変速機２０、第２モータ・ジェネレータ３の順に、同一軸線上に配列されている。すなわち、各電動機２，３の間に動力分配機構４と、入力側変速機２０の一部をなす上記のダブルピニオン型遊星歯車機構が配置されている。
【００２５】
第２モータ・ジェネレータ３は、この発明における第２電動機に相当し、この第２モータ・ジェネレータ３は、主として、第１モータ・ジェネレータ２で発電した電力が供給されてモータとして機能することにより、いわゆるトルクアシストを行うためのものであり、要求される特性が前記第１モータ・ジェネレータ２とは異なるので、例えば第１モータ・ジェネレータ２よりも外径の小さい高回転数型のものが用いられている。また、第２モータ・ジェネレータ３は、前述した第１モータ・ジェネレータ２と同様にロータに永久磁石を備えた同期電動機によって構成されていて、発電機および電動機として機能するようになっており、そのロータが出力側変速機６の入力用の部材に連結され、かつステータがケーシング（図示せず）などに固定されている。したがって、この発明の第２電動機は、電動機であってよく、あるいは発電機であってもよく、さらには両方の機能を備えたものであってもよい。
【００２６】
上記の各モータ・ジェネレータ２，３は発電機および電動機として機能するようになっており、そのためにこれらのモータ・ジェネレータ２，３は図示しないインバータなどのコントローラを介してバッテリーなどの蓄電装置に接続されている。そして、一方のモータ・ジェネレータ２，３によって発電した電力を他方のモータ・ジェネレータ３，２に供給して該他方のモータ・ジェネレータ３，２をモータとして機能させることができるように構成されている。
【００２７】
出力側変速機６は、第２モータ・ジェネレータ３の出力した動力を減速もしくは増速して出力軸５に伝達するための機構であって、少なくとも高低の二つの変速比に切り替えることができるように構成されている。より好ましくは、少なくとも二つの変速比とトルクを伝達しないニュートラル状態とを設定できるように構成されている。したがって、出力側変速機６は、低速用ギヤ対および高速用ギヤ対からなる機構や、一組の遊星歯車機構とクラッチおよびブレーキからなる機構、二つ組の遊星歯車機構を組み合わせた複合遊星歯車機構とブレーキなどの係合装置とからなる機構などによって構成することができる。
【００２８】
上述した各変速機２０，６での変速や、各モータ・ジェネレータ２，３による回生・力行の制御を電気的に行うように構成されており、そのための電子制御装置（ＥＣＵ）１２が設けられている。この電子制御装置１２は、マイクロコンピュータを主体にして構成され、図示しないセンサによって検出されたデータや予め記憶しているデータを使用して演算を行い、その結果を制御指令信号として出力するように構成されている。
【００２９】
つぎに上述したハイブリッド駆動装置の作用について説明する。エンジン１の動力は、入力側変速機２０のリングギヤＲ20に伝達される。発進時を含む低速状態では、前記スリーブ２３は直結位置（図１の左側の位置）に移動させられて可動ハブ２４に係合している。したがって、入力側変速機２０は、そのサンギヤＳ20とリングギヤＲ20とが連結されるためにその全体が一体となって回転する。この状態を図２に共線図で示してあり、リングギヤＲ20およびキャリヤＣ20ならびにサンギヤＳ20の三者が同速度で回転するから、入力側変速機２０の動作状態は基線と平行な直線で表される。
【００３０】
したがってエンジン１の動力は、入力側変速機２０を介してそのまま動力分配機構４のキャリヤＣ4に伝達される。発進時や低車速状態では、キャリヤＣ4の回転数に対して、出力要素であるリングギヤＲ4の回転数が低回転数となっているので、図２に共線図で示すように、反力要素であるサンギヤＳ4およびこれに連結されている第１モータ・ジェネレータ２が、エンジン１およびキャリヤＣ4と同方向に、これらより高速で回転する。この状態で、第１モータ・ジェネレータ２を発電機として機能させると、サンギヤＳ4には発電に伴う反力トルクが作用する。これは、図２の共線図では下向きの力である。
【００３１】
入力要素であるキャリヤＣ4にはエンジン１の出力トルクが作用しており、これは図２の共線図で上向きの力であるから、サンギヤＳ4に上記の反力トルクが作用することにより、出力要素であるリングギヤＲ4およびこれに連結されている出力軸５には、これを正回転方向（エンジン１の回転方向）に回転させるトルクが生じる。その場合、第１モータ・ジェネレータ２の回転数がエンジン１の回転数以上であれば、リングギヤＲ4および出力軸５の回転数がエンジン回転数以下となり、これは、アンダードライブ状態であって、エンジントルクが増幅されて出力軸５に伝達される。
【００３２】
また、第１モータ・ジェネレータ２で発電した電力は、第２モータ・ジェネレータ３に供給され、これが電動機として機能する。その第２モータ・ジェネレータ３の動力は、出力側変速機６を介して出力軸５に伝達され、動力分配機構４を経て伝達された動力と合わせて駆動力として図示しない駆動輪に伝達される。すなわち、機械的な動力伝達と電力変換を伴う動力伝達とが生じる。
【００３３】
車速が増大すると、エンジン１の運転点を最適燃費線上の運転点に維持するように、第１モータ・ジェネレータ２の回転数が低下する。このように車速の増大に伴って第１モータ・ジェネレータ２の回転数を低下させ、状況によっては負回転方向（エンジン１とは反対の回転方向）に力行させることになる。すなわち、第１モータ・ジェネレータ２をモータとして機能させることになる。
【００３４】
このような傾向は、車速が増大するほど顕著になる。これは、エンジン１の回転数の増大を抑制して、その運転点を最適燃費線上に維持するためである。そこで、この発明に係る上記のハイブリッド駆動装置では、高速巡航時に、前記入力側変速機２０の変速比が上述した直結段より小さい高速段に設定される。すなわち、前記スリーブ２３が増速位置（図１の右側の位置）に移動させられて、サンギヤＳ20が固定される。この状態を図３に共線図で示してあり、入力側変速機２０ではサンギヤＳ20を固定した状態でリングギヤＲ20にエンジン１の動力が入力されるから、出力要素であるキャリヤＣ20はエンジン１およびこれが連結されているリングギヤＲ20より高速で回転する。そのキャリヤＣ20が動力分配機構４におけるキャリヤＣ4に連結されているので、入力側変速機２０の変速比を上記のように小さくすることにより、あるいは入力側変速機２０をオーバードライブ状態とすることにより、エンジン回転数を増大させることなく動力分配機構４の入力回転数を増大させることができる。
【００３５】
高速巡航時に入力側変速機２０をオーバードライブ状態に設定した場合の動作状態を図３に共線図で示してあり、動力分配機構４における出力要素であるリングギヤＲ4の回転数が車速に応じて高くなっていても、入力要素であるキャリヤＣ4の回転数が相対的に高回転数になっているので、第１モータ・ジェネレータ２およびこれが連結されているサンギヤＳ4の回転数は、ゼロに近い低回転数になる。したがって、第１モータ・ジェネレータ２を発電機として機能させ、あるいはモータとして機能させるとしても、その電気的な容量すなわち発電量や出力が少なくなる。すなわち、電気的な負荷が少なくなるので、電力損失などの動力損失を少なくして、全体としての動力伝達効率を向上させることができる。
【００３６】
特に、第１モータ・ジェネレータ２をモータとして機能させて反転力行させる場合、第２モータ・ジェネレータ３が発電機として機能し、その電力が第１モータ・ジェネレータ２に供給されるので、動力循環が生じる。しかしながら、上記のように入力側変速機２０を高速段に設定して動力分配機構４の入力回転数を増大させると、第１モータ・ジェネレータ２を反転力行させるとしてもその回転数が低回転数であるから、ここで消費もしくは必要とする電力は少なく、その結果、動力循環が僅かになるので、全体としての動力の伝達効率の低下を抑制することができる。
【００３７】
これを、入力側変速機２０の変速比を直結段に維持したままの場合と比較すると、図３に示すとおりである。すなわち、入力側変速機２０の変速比が大きいとその出力回転数であるリングギヤＲ20およびこれに連結されている動力分配機構４のキャリヤＣ4の回転数が相対的に低回転数になるので、動力分配機構４の動作状態は、図３に破線で示すようになる。そのため、反力要素であるサンギヤＳ4をこれに連結されている第１モータ・ジェネレータ２で相対的に高速で負回転させることになる。すなわち、第１モータ・ジェネレータ２を高速で反転力行させることになるので、動力循環の程度が増大し、電力損失が増大したり、それに伴って動力伝達効率が低下する。
【００３８】
上述した切替機構２１よる入力側変速機２０での変速は、スリーブ２３を直線的に移動させて行うことができる。すなわち、直結段および高速段を一つの切替機構２１によって設定できる。ここで、「一つの切替機構」とは、アクチュエータによって移動させられて複数の回転要素あるいは固定要素の連結状態を変更する係合部材が一つである機構を意味し、したがってアクチュエータも一つでよいように構成された機構である。そのため、この発明に係る上述した構成のハイブリッド駆動装置によれば、変速を行うための切替機構２１やそのアクチュエータを簡素化でき、それに伴いハイブリッド駆動装置の全体としての構成を小型化できる。また、上記の切替機構２１は、ドグクラッチ機構によって構成され、係合状態にあるスリーブ２３に対してこれを解放側に移動させる荷重が特には作用しない。すなわち、一般的な摩擦式クラッチ機構とは異なり、係合状態を維持するための動力を特には必要としないので、動力損失を低減でき、この点でも動力の伝達効率を向上させることができる。
【００３９】
また、この発明に係る上記のハイブリッド駆動装置は、動力分配機構４や入力側変速機２０として機能する複数組の遊星歯車機構を備えているが、これらの遊星歯車機構が各モータ・ジェネレータ２，３の間に配置されている。特に、動力分配機構４に反力要素として連結されてエンジン回転数を制御するように機能する第１モータ・ジェネレータ２に対してエンジン１とは反対側に各遊星歯車機構が配置されている。その第１モータ・ジェネレータ２はいわゆる高トルク型のものが好ましく、その外径が相対的に大きくなるが、これがエンジン１側に配置され、これとは反対側（フロントエンジン後輪駆動車（ＦＲ車）に対する車載状態では後側）に各遊星歯車機構および第２モータ・ジェネレータ３が配列されるので、車載状態における車室側での外径が相対的に小さくなる。言い換えれば、スペースの制約が大きい車室側での外径を小さくできるので、車両搭載性を向上させることができる。
【００４０】
さらに、各モータ・ジェネレータ２，３のそれぞれには、電気的な接続を行うための端子台（図示せず）が設けられているので、その端子台を各モータ・ジェネレータ２，３の間に配置すれば、ワイヤーの配索が容易になる。しかも、各端子台の内周側に動力分配機構４および入力側変速機２０を配置してスペースを有効に利用することができるので、ハイブリッド駆動装置の全体としての構成を小型化することができる。
【００４１】
つぎにこの発明の他の具体例について説明する。図４に示す例は、切替機構を含む入力側変速機２０の全体を第１モータ・ジェネレータ２と第２モータ・ジェネレータ３との間に配置した例である。したがって、図４に示す構成のうち、前述した図１に示す構成と同様の部分には、図１と同様の符号を付してその説明を省略する。
【００４２】
エンジン１の回転中心軸線上に、エンジン１側から、第１モータ・ジェネレータ２、動力分配機構４、入力側変速機２０、第２モータ・ジェネレータ３、出力側変速機６の順に配列されている。エンジン１に連結されている中間軸２７は、第１モータ・ジェネレータ２および動力分配機構４ならびに入力側変速機２０の中心部を貫通して入力側変速機２０より出力軸５側にまで延びており、この中間軸２７と入力側変速機２０におけるキャリヤＣ20との間にロークラッチＣlowが設けられ、また中間軸２７と入力側変速機２０におけるリングギヤＲ20との間にハイクラッチＣhiが設けられている。これらのクラッチＣlow，Ｃhiは、この発明における切替機構に相当するものであって、図４に示す例では、摩擦式のクラッチ機構によって構成されている。
【００４３】
また、入力側変速機２０におけるサンギヤＳ20は、動力分配機構４および第１モータ・ジェネレータ２の中心部を貫通する所定の中間部材を介して固定部２６に連結されて固定されている。したがって、入力側変速機２０は、ロークラッチＣlowが係合することによりキャリヤＣ20が入力要素となり、そのキャリヤＣ20が動力分配機構４のキャリヤＣ4に連結されているので、入力された動力を増減速することなくそのまま動力分配機構４に出力するように構成されている。すなわち、ロークラッチＣlowが係合することにより、変速比が“１”の低速段（直結段）が設定されるように構成されている。また、ハイクラッチＣhiが係合することによりリングギヤＲ20が入力要素となり、その状態でサンギヤＳ20が固定されていることにより、出力要素であるキャリヤＣ20が増速されて回転し、ここから動力分配機構４のキャリヤＣ4に動力を伝達するように構成されている。すなわち、ハイクラッチＣhiが係合することにより、変速比が“１”より小さい高速段（ＯＤ段）が設定されるように構成されている。図５に、これらのクラッチＣlow，Ｃhiの係合・解放（ＯＮ・ＯＦＦ）の状態と各変速段との関係をまとめて示してある。
【００４４】
さらに、図４には、各モータ・ジェネレータ２，３の端子台２Ａ，３Ａを示してあり、これらの端子台２Ａ，３Ａは各モータ・ジェネレータ２，３の間に配置されている。そして、これら各モータ・ジェネレータ２，３の間で、各端子台２Ａ，３Ａおよびステータコイルの内周側に動力分配機構４および入力側変速機２０が配置されている。
【００４５】
図４に示す他の構成は、前述した図１に示すハイブリッド駆動装置の構成と同様であり、したがって各クラッチＣlow，Ｃhiを、車速や要求駆動力に応じて、図５に示すように係合・解放させることにより、前述した図２および図３に示すように動作させることができる。すなわち、低速時には入力側変速機２０を低速側の直結段に設定して、必要充分な駆動力を得ることができ、また高速巡航時には、入力側変速機２０を高速側のＯＤ段に設定して動力分配機構４の入力回転数を相対的に高回転数とすることにより、動力循環を防止もしくは抑制して動力伝達効率や燃費を向上させることができる。そして、図４に示す構成では、動力分配機構４および入力側変速機２０を第１モータ・ジェネレータ２と第２モータ・ジェネレータ３との間に配置して外径が相対的に大きい第１モータ・ジェネレータ２をエンジン１側に配置したので、車両（特にＦＲ車）に対する搭載性を向上させることができる。さらに、動力分配機構４および入力側変速機２０は、各モータ・ジェネレータ２，３の端子台２Ａ，３Ａの内周側に配置され、スペースを有効に利用した配置となっているので、ハイブリッド駆動装置の全体としての構成を小型化し、この点でも車載性を向上させることができる。
【符号の説明】
【００４６】
１…内燃機関（エンジン）、  ２…第１モータ・ジェネレータ、  ３…第２モータ・ジェネレータ、  ４…動力分配機構、  ５…出力軸、  １２…電子制御装置、  ２０…入力側変速機、  ２１…切替機構、  ２６…固定部、  Ｃlow…ロークラッチ、  Ｃhi…ハイクラッチ。
【図１】
2011255889.tif 000003
【図２】
2011255889.tif 000004
【図３】
2011255889.tif 000005
【図４】
2011255889.tif 000006
【図５】
2011255889.tif 000007
【手続補正書】
【提出日】平成23年8月4日(2011.8.4)
【手続補正１】
【補正対象書類名】特許請求の範囲
【補正対象項目名】全文
【補正方法】変更
【補正の内容】
【特許請求の範囲】
【請求項１】
内燃機関が出力する動力によって駆動されて発電する機能を備えた第１電動機と、その第１電動機から供給される電力によって動作して出力部材に動力を付与する第２電動機とが同一軸線上に配置されるとともに、これら第１電動機と第２電動機との間に、前記内燃機関の出力した動力を前記第１電動機と前記出力部材側とに分配する動力分配機構が配置され、さらに前記内燃機関の出力した動力を変速して前記動力分配機構に伝達する変速機を備えているハイブリッド駆動装置において、
前記変速機は遊星歯車機構を含み、その少なくとも一部が、前記動力分配機構と共に、前記各電動機の間に配置されており、かつ、
前記変速機は、低速側の変速比を設定する状態と高速側の変速比を設定する状態とに切り替える一つの切替機構を備えていることを特徴とするハイブリッド駆動装置。
【請求項２】
前記動力分配機構は、前記第１電動機が連結された第１サンギヤと、前記出力部材が連結された第１リングギヤと、これら第１サンギヤと第１リングギヤとに噛み合っているピニオンギヤを保持している第１キャリヤとを回転要素として差動作用を行うシングルピニオン型遊星歯車機構によって構成され、
前記変速機は、第３サンギヤと、該第３サンギヤと同心円上に配置されかつ前記内燃機関に連結された第３リングギヤと、前記第２サンギヤに噛み合っているピニオンギヤおよび該ピニオンギヤと前記第２リングギヤとに噛み合っている他のピニオンギヤを保持しかつ前記第１キャリヤに連結されている第３キャリヤとを回転要素として差動作用を行うダブルピニオン型遊星歯車機構を含み、
前記切替機構は、前記内燃機関と前記第１電動機との間に配置され、かつ前記第３サンギヤを前記第３リングギヤと所定の固定部とに選択的に連結するドグクラッチ機構によって構成されている
ことを特徴とする請求項１に記載のハイブリッド駆動装置。
【手続補正２】
【補正対象書類名】明細書
【補正対象項目名】０００６
【補正方法】変更
【補正の内容】
【０００６】
上述した特許文献１に記載されたハイブリッド駆動装置は、エンジンの回転中心軸線の延長線上に出力軸が延びている構造であり、したがってエンジンと共に車両の前後方向に向けて搭載するように構成されている。しかしながら、第１電動機は必要トルクが大きいことにより外径の大きいものが使用されるが、この第１電動機とエンジンとの間に変速機構や変速比を設定するためのブレーキおよびクラッチが配置されているので、第１電動機が車室に、より接近して配置されることになる。これに対して、車室を形成しているフロアーに繋がるパネルは、車両の後方に向けて低くなっているので、車室側での設置スペースが狭くなっている。
【手続補正３】
【補正対象書類名】明細書
【補正対象項目名】０００９
【補正方法】変更
【補正の内容】
【０００９】
上記の目標を達成するために、請求項１の発明は、内燃機関が出力する動力によって駆動されて発電する機能を備えた第１電動機と、その第１電動機から供給される電力によって動作して出力部材に動力を付与する第２電動機とが同一軸線上に配置されるとともに、これら第１電動機と第２電動機との間に、前記内燃機関の出力した動力を前記第１電動機と前記出力部材側とに分配する動力分配機構が配置され、さらに前記内燃機関の出力した動力を変速して前記動力分配機構に伝達する変速機を備えているハイブリッド駆動装置において、前記変速機は遊星歯車機構を含み、その少なくとも一部が、前記動力分配機構と共に、前記各電動機の間に配置されており、かつ、前記変速機は、低速側の変速比を設定する状態と高速側の変速比を設定する状態とに切り替える一つの切替機構を備えていることを特徴とするものである。
【手続補正４】
【補正対象書類名】明細書
【補正対象項目名】００１０
【補正方法】削除
【補正の内容】
【手続補正５】
【補正対象書類名】明細書
【補正対象項目名】００１１
【補正方法】削除
【補正の内容】
【手続補正６】
【補正対象書類名】明細書
【補正対象項目名】００１２
【補正方法】削除
【補正の内容】
【手続補正７】
【補正対象書類名】明細書
【補正対象項目名】００１３
【補正方法】変更
【補正の内容】
【００１３】
請求項２の発明は、請求項１の発明において、前記動力分配機構は、前記第１電動機が連結された第１サンギヤと、前記出力部材が連結された第１リングギヤと、これら第１サンギヤと第１リングギヤとに噛み合っているピニオンギヤを保持している第１キャリヤとを回転要素として差動作用を行うシングルピニオン型遊星歯車機構によって構成され、前記変速機は、第３サンギヤと、該第３サンギヤと同心円上に配置されかつ前記内燃機関に連結された第３リングギヤと、前記第２サンギヤに噛み合っているピニオンギヤおよび該ピニオンギヤと前記第２リングギヤとに噛み合っている他のピニオンギヤを保持しかつ前記第１キャリヤに連結されている第３キャリヤとを回転要素として差動作用を行うダブルピニオン型遊星歯車機構を含み、前記切替機構は、前記内燃機関と前記第１電動機との間に配置され、かつ前記第３サンギヤを前記第３リングギヤと所定の固定部とに選択的に連結するドグクラッチ機構によって構成されていることを特徴とするハイブリッド駆動装置である。
【手続補正８】
【補正対象書類名】明細書
【補正対象項目名】００１５
【補正方法】変更
【補正の内容】
【００１５】
【図１】この発明に係るハイブリッド駆動装置の一例を模式的に示すスケルトン図である。
【図２】低速時の動作状態を説明するための入力側変速機および動力分配機構についての共線図である。
【図３】高速走行時の動作状態を説明するための入力側変速機および動力分配機構についての共線図である。
【図４】この発明に係るハイブリッド駆動装置の参考例を模式的に示すスケルトン図である。
【図５】この直結段とＯＤ段とを設定するための各クラッチの係合・解放の状態をまとめて示す図表である。
【手続補正９】
【補正対象書類名】明細書
【補正対象項目名】００４１
【補正方法】変更
【補正の内容】
【００４１】
つぎにこの発明の参考例について説明する。図４に示す例は、切替機構を含む入力側変速機２０の全体を第１モータ・ジェネレータ２と第２モータ・ジェネレータ３との間に配置した例である。したがって、図４に示す構成のうち、前述した図１に示す構成と同様の部分には、図１と同様の符号を付してその説明を省略する。